(57)【要約】【課題】拘束バンドにおいて、被拘束部材を掴んで行う作業の作業性の向上を図ることである。【解決手段】拘束バンドは、バンド部と、バンド部の長手方向一端に形成され、バンド部の他端側を挿通するバンド挿通孔、及び、バンド挿通孔の内側に形成された係止爪であって、バンド部の係止凹部と係止する係止爪を有する係止部と、バンド挿通孔の出口側において、係止爪と同じ側の側面から立ち上がって、係止爪との間で曲げ用凹部を形成する内側壁部と、バンド挿通孔において、係止爪と反対側の側面から曲げ用凹部に向かって伸びるように形成され弾性的に撓み可能なレバー部とを含む。拘束バンドは、バンド部がバンド挿通孔に挿通され、バンド部のうち、バンド挿通孔の出口から突出する余剰部分が切断されたときに、バンド部の切断された端部Ｒが曲げ用凹部に入り込むように、レバー部によって押圧されるように構成される。【選択図】図７
2018040434.tif 000002
【特許請求の範囲】
【請求項１】
長尺で可撓性のあるバンド部と、
前記バンド部の長手方向一端に形成され、前記バンド部の他端側を挿通するバンド挿通孔、及び、前記バンド挿通孔の内側に形成された係止爪であって、前記バンド部に形成された係止凹部と係止する係止爪を有する係止部とを備え、被拘束部材の外周に巻き付けた状態の前記バンド部が前記バンド挿通孔に挿通された状態で、前記バンド部の前記係止凹部に前記係止爪が係止することにより、前記被拘束部材を拘束する拘束バンドであって、
前記バンド挿通孔の出口側において、前記係止爪と同じ側の側面から前記バンド挿通孔を遮る方向に立ち上がって、前記係止爪との間で曲げ用凹部を形成する内側壁部と、
前記バンド挿通孔において、前記係止爪と反対側の側面から前記曲げ用凹部に向かって伸びるように形成され弾性的に撓み可能なレバー部とを備え、
前記バンド部が前記バンド挿通孔に挿通され、前記バンド部のうち、前記バンド挿通孔の出口から突出する余剰部分が切断されたときに、前記バンド部の切断された端部が前記曲げ用凹部に入り込むように、前記レバー部によって押圧されるように構成される、拘束バンド。
【発明の詳細な説明】
【技術分野】
【０００１】
本発明は、バンド部と、係止部とを備える拘束バンドに関する。
【背景技術】
【０００２】
電気自動車、ハイブリッド車両等の車両では、車両の駆動用の電動モータが搭載される。また、車両によっては、車両に発電機が搭載される。このような電動モータまたは発電機である回転電機には複数の動力線の一端が接続され、これらの動力線の他端がインバータの複数の端子に接続される。このために、動力線を束ねて形成する電線ケーブルが用いられる。
【０００３】
また、電線ケーブルの端末にコネクタを一体に取り付け、そのコネクタと電線ケーブルとの端部を覆うようにブーツを設けて、ブーツ付ケーブル端末を形成する場合がある。そして、コネクタに対してブーツの位置ずれが生じることを防止するために、結束バンドを拘束バンドとして用いて、被拘束部材としてのブーツを外側から拘束することが考えられる。このようなブーツ付ケーブル端末は、作業者がインバータ、回転電機等の電気機器に接続するために、ブーツ付ケーブル端末の外周部を手で掴む場合がある。
【０００４】
特許文献１、特許文献２には、ワイヤーハーネスに巻回されるバンド部と、バンド部の一端に連結された係止部と、係止部に貫通するように設けられたバンド挿通孔とを備える結束バンドが記載されている。このうち、特許文献１に記載された構成では、バンド部の他端側をバンド挿通孔に挿通したときに、バンド挿通孔に形成されたロックアーム部がバンド部により倒されるように変形して、そのロックアーム部に形成された係止爪に、バンド部の係止凹部が係止される。
【０００５】
また、特許文献２に記載された構成では、係止部の内側に係合爪と弾性片とが突出し、係合爪と弾性片とが、本体部の内側で両側から突出する２つのガイド片によって離隔される。バンド部の他端側をバンド挿通孔に挿通したときに、バンド挿通孔内で、２つのガイド片が、バンド部を係合爪から離隔させる。ワイヤーハーネスの結束時に一定以上の力がガイド片に加わると、ガイド片が変形してバンド部の係合溝に係合爪が係合する。
【先行技術文献】
【特許文献】
【０００６】
【特許文献１】特開２０１１−９４７７１号公報
【特許文献２】特開平１１−７９２３２号公報
【発明の概要】
【発明が解決しようとする課題】
【０００７】
特許文献１及び特許文献２に記載された結束バンドでは、バンド部の他端側を係止部のバンド挿通孔に挿通した状態で、バンド部のうち、バンド挿通孔の出口から突出した邪魔になる余剰部分を切断する必要がある。これにより、バンド部の切断部が係止部から外側に突出したままの状態となる可能性がある。このような結束バンドを用いて、ブーツ付ケーブル端末の外周部を拘束した構成を、作業者が掴む場合に、作業者がその切断部を避けるように手で掴む必要があるので、ブーツ付ケーブル端末を掴んで行う作業の作業性が悪化する。
【０００８】
本発明の目的は、拘束バンドにおいて、被拘束部材を掴んで行う作業の作業性の向上を図れる。
【課題を解決するための手段】
【０００９】
本発明に係る拘束バンドは、長尺で可撓性のあるバンド部と、前記バンド部の長手方向一端に形成され、前記バンド部の他端側を挿通するバンド挿通孔、及び、前記バンド挿通孔の内側に形成された係止爪であって、前記バンド部に形成された係止凹部と係止する係止爪を有する係止部とを備え、被拘束部材の外周に巻き付けた状態の前記バンド部が前記バンド挿通孔に挿通された状態で、前記バンド部の前記係止凹部に前記係止爪が係止することにより、前記被拘束部材を拘束する拘束バンドであって、前記バンド挿通孔の出口側において、前記係止爪と同じ側の側面から前記バンド挿通孔を遮る方向に立ち上がって、前記係止爪との間で曲げ用凹部を形成する内側壁部と、前記バンド挿通孔において、前記係止爪と反対側の側面から前記曲げ用凹部に向かって伸びるように形成され弾性的に撓み可能なレバー部とを備え、前記バンド部が前記バンド挿通孔に挿通され、前記バンド部のうち、前記バンド挿通孔の出口から突出する余剰部分が切断されたときに、前記バンド部の切断された端部が前記曲げ用凹部に入り込むように、前記レバー部によって押圧されるように構成される。
【発明の効果】
【００１０】
本発明に係る拘束バンドによれば、バンド部の余剰部分を切断したときに切断部が係止部から突出することを抑制できる。これにより、作業者が、拘束バンドで拘束された被拘束部材を外側から手で掴む場合に、切断部を避ける必要をなくせるか少なくできる。このため、被拘束部材の把持部の自由度が向上するので、被拘束部材を掴んで行う作業の作業性の向上を図れる。
【図面の簡単な説明】
【００１１】
【図１】比較例の結束バンドで拘束されたブーツ付ケーブル端末を示す図である。
【図２】（ａ）は、比較例の結束バンドの係止部を示す図であり、（ｂ）は（ａ）の係止部にバンド部を挿通した状態を示す図であり、（ｃ）は（ｂ）の状態からバンド部の余剰部分を切断した状態を示す図である。
【図３】比較例の結束バンドにおいて、図２（ｂ）のＡ部の拡大断面図である。
【図４】図１のブーツ付ケーブル端末を作業者が掴んだ状態を示す図である。
【図５】本発明に係る実施形態の拘束バンドにおいて、係止部を示している断面図である。
【図６】実施形態において、係止部にバンド部を挿通して出口側に引っ張った状態を示している図５に対応する断面図である。
【図７】実施形態において、図６の状態から余剰部分を切断した状態を示している断面図である。
【発明を実施するための形態】
【００１２】
以下に、本発明に係る拘束バンドの実施形態について詳細に説明するが、本発明の構成を説明する前に、まず比較例の結束バンドを用いた場合の不都合を説明する。
【００１３】
図１は、比較例の結束バンド３０で拘束されたブーツ付ケーブル端末１０を示す図である。図２（ａ）は、比較例の結束バンド３０の係止部３４を示す図であり、図２（ｂ）は図２（ａ）の係止部３４にバンド部３２を挿通した状態を示す図であり、図２（ｃ）は図２（ｂ）の状態からバンド部３２の余剰部分を切断した状態を示す図である。図３は、比較例の結束バンド３０において、図２（ｂ）のＡ部の拡大断面図である。
【００１４】
図１に示す比較例では、被拘束部材としてのブーツ付ケーブル端末１０（図１）のブーツ１８の外周が、結束バンド３０によって拘束されている。ブーツ付ケーブル端末１０は、電線ケーブル本体１２の端末にコネクタ１４を一体に取り付け、そのコネクタ１４と電線ケーブル本体１２との端部を覆うようにブーツ１８を設けることにより形成される。ブーツ付ケーブル端末１０は、ケーブルの端末である。ケーブルは、回転電機とインバータ等、複数の電気機器（図示せず）を接続するために用いられる。
【００１５】
電線ケーブル本体１２は、例えば、回転電機の３相の動力線に接続するための３本の電線を束ねて、その外側を筒状のシールド部により覆うことにより形成される。電線ケーブル本体は、３本以外の数の電線が束ねられたものでもよい。シールド部は、例えば編組線により形成されて、電線を流れる電流に基づく電磁波ノイズの外部への拡散を抑制する。電線ケーブル本体１２は、複数の電線のそれぞれをシールド部で覆ったものを拘束バンドでまとめた構成としてもよい。電線ケーブル本体１２の長手方向中間部の外側には、コルゲートチューブ等のチューブ２２が周囲を覆うように設けられる。
【００１６】
コネクタ１４は、電線ケーブル本体１２の３本の電線の一端部の周囲に着脱可能に結合されるハウジング部１５と、ハウジング部１５に固定された取付部１６とを含む。ハウジング部１５は、樹脂部１５ａに、金属製の３つの端子部１７を結合することにより形成される。端子部１７は、樹脂部１５ａの内部で金属部（図示せず）を介して電線挿入部（図示せず）に電気的に接続される。各電線挿入部には電線の一端部が挿入されて電気的に接続される。各端子部１７には、例えば回転電機の動力線が接続可能である。
【００１７】
コネクタ１４の取付部１６は、孔１６ａを有し、各孔１６ａに挿入されたボルトなどの締結部材（図示せず）によりモータケース（図示せず）に固定される。電線ケーブル本体１２の他端部は、例えばインバータ（図示せず）の３相の端子に接続可能である。ブーツ付ケーブル端末１０では、コネクタ１４が電線ケーブル本体１２と一体に設けられるので、組み付け性を向上できる。なお、電線ケーブル本体１２の長手方向他端部にコネクタを設ける場合には、そのコネクタに設けられた取付部が、インバータを収容するインバータケースに結合固定される。
【００１８】
ブーツ１８は、ゴムによって筒状に形成され、一端側に形成された大径筒部１８ａと、他端側に大径筒部１８ａの他端から折れ曲がるように連続して、大径筒部１８ａよりも直径が小さい小径筒部１８ｂとを有する。小径筒部１８ｂは、チューブ２２の長手方向一端部（図１の上端部）の外側に覆うように取り付けられ、大径筒部１８ａは、コネクタ１４の端子部１７とは反対側の端部の外周部に覆うように取り付けられる。このようなブーツ１８は、防水、防塵等の環境性能を向上させるために用いられる。なお、ブーツとして、完全な防水及び防塵の一方または両方の機能を有しないものを用いることもできる。例えば、ブーツは、見栄えのために設けられたものでもよい。また、ブーツは、図１に示すように折れ曲がった構成に限定するものではなく、例えば全体が軸方向にまっすぐに伸びる形状、または瓶状に形成されたものでもよい。例えばブーツは、大径筒部１８ａに対し中心軸が一致するように小径筒部がテーパ部を介して連結された構成でもよい。
【００１９】
ブーツ１８の外側には、ブーツの位置ずれを防止するために結束バンド３０が取り付けられる。結束バンド３０は、樹脂材料により一体に形成され、バンド部３２と、バンド部３２の長手方向一端に連結された係止部３４とを備える。バンド部３２は、長尺で可撓性を有する帯状である。バンド部３２は、厚みを小さくすることにより可撓性を持たせている。バンド部３２の厚み方向の一方側面には複数の係止凹部３３（図３）が形成される。各係止凹部３３は、バンド部３２の長手方向他端側（図３の左端側）の深さが深くなる断面三角形状に形成される。
【００２０】
係止部３４は、断面矩形、または長円形の筒状であり、バンド挿通孔３５と、係止爪３６とを有する。バンド挿通孔３５は、断面矩形、または長円形であり、係止部３４に貫通するように形成される。バンド挿通孔３５には図２（ｂ）に示すようにバンド部３２の他端側が挿通され、バンド部３２のうち、バンド挿通孔３５への未挿通部分により環状部分３２ａが形成される。バンド部３２は、係止部３４の外側面の一端部（図２、図３の右端部）に連結される。
【００２１】
図３に示すように、バンド挿通孔３５のうち、バンド部３２の挿通方向一端（図３の左端）には出口３５ａが形成され、挿通方向他端（図３の右端）には入口３５ｂが形成される。係止爪３６は、バンド挿通孔３５の内側面のうち、バンド部３２との連結部Ｐ（図３）とは反対側の内側面の挿通方向における中間部に形成される。係止爪３６は、先端がバンド挿通孔３５の出口３５ａに向くように傾斜している。
【００２２】
ブーツ付ケーブル端末１０（図１）のブーツ１８を結束バンド３０で外側から拘束する場合には、ブーツ１８の外周に巻き付けた状態のバンド部３２の長手方向他端側がバンド挿通孔３５に挿通された状態とする。このとき、バンド部３２の１つの係止凹部３３に係止部３４の係止爪３６が係止される。この状態で、係止爪３６の先端が出口３５ａに向くように係止爪３６が傾斜しているので、係止爪３６の傾斜方向である、バンド部３２が出口３５ａから出ていく方向には、バンド部３２の移動が係止爪３６によっては阻止されない。一方、係止爪３６の傾斜方向とは反対方向である、バンド部３２が入口３５ｂから外側に引き戻される方向にバンド部３２が移動することに対して係止爪３６が抵抗となる。これによって、バンド部３２が係止部３４の内側から外れることが阻止される。
【００２３】
上記の比較例の結束バンド３０を、ブーツ付ケーブル端末１０のブーツ１８の外周部に巻いて、バンド部３２をバンド挿通孔３５に通してブーツ１８を拘束した状態で、係止部３４からバンド部の長手方向他端側が大きく突出する場合がある。このとき、作業者が、バンド部３２の長手方向他端側のうち、係止部３４から突出した部分をニッパ等の切断工具（図示せず）により切断する。この場合には、図２（ｃ）に示すように係止部３４の出口側端部（図２（ｃ）の左端部）から切断部３２ｂがわずかでも、例えば数ｍｍ程度突出した状態となる場合がある。
【００２４】
ブーツ付ケーブル端末１０では、回転電機等の電気機器（図示せず）に接続するために、図４に示すように作業者５０が、ブーツ１８の外周部を手で掴む場合がある。このとき、上記のように結束バンド３０の係止部３４の端部から切断部３２ｂが突出していると、作業者５０の手に切断部３２ｂの尖ったエッジが触れて痛みを生じるので、作業者はこの切断部３２ｂを避けてブーツ１８の外周部を掴む必要がある。このようにブーツ付ケーブル端末１０の外周部を結束バンド３０によって拘束した構成を、作業者が切断部３２ｂを避けるように手で掴む場合には、ブーツ付ケーブル端末１０を掴んで行う作業の作業性が悪化する。一般的に結束バンドは、被拘束部材の外周部を拘束した後で、その上から手で掴む使われ方は想定されていない。一方、結束バンド３０において、バンド挿通孔３５の端部から切断部３２ｂが突出したときに、上側からテープ（図示せず）を何重にも巻いて切断部３２ｂが隠れるようにすることも考えられるが、その場合には作業性が悪化し、かつ見栄えが悪い。また、この場合には、部品点数が増えてコストが増大する可能性がある。以下で説明する実施形態の拘束バンド４０は、このような不都合を解消するために発明したものである。
【００２５】
図５は、実施形態の拘束バンド４０において、係止部４１を示している断面図である。図６は、係止部４１にバンド部３２を挿通して出口側に引っ張った状態を示している図５に対応する断面図である。図７は、図６の状態から余剰部分を切断した状態を示している断面図である。
【００２６】
拘束バンド４０は、バンド部３２と、係止部４１とを備える。以下、拘束バンド４０のうち、図１から図４に示した比較例の結束バンド３０と同様の構成には、同一の符号を付して重複する説明を省略もしくは簡略化する。係止部４１は、バンド挿通孔３５と、バンド挿通孔３５に形成された係止爪３６と、内側壁部４２及びレバー部４４とを含んでいる。
【００２７】
内側壁部４２は、バンド挿通孔３５の出口３５ａ側端部において、係止爪３６と同じ側の内側面からバンド挿通孔３５を遮る方向に立ち上がって、係止爪３６との間で曲げ用凹部４６を形成する。このとき、内側壁部４２のバンド挿通孔３５を遮る方向の高さを、係止爪３６の高さより大きくしてもよい。
【００２８】
また、レバー部４４は、バンド挿通孔３５において、係止爪３６と反対側の内側面から曲げ用凹部４６に向かって伸びるように形成される。レバー部４４の先端部には、出口３５ａ側に向け少し折れ曲がった折れ曲がり部４４ａが形成される。レバー部４４は、図５に二点鎖線で示すように、先端が出口側に向かうように弾性的に撓み変形が可能である。係止爪３６、内側壁部４２、及びレバー部４４は、係止部４１の樹脂による成形時に一体に形成される。
【００２９】
また、図６に示すように、バンド部３２の長手方向他端側がバンド挿通孔３５の入口３５ｂから出口３５ａに向かって挿通され、出口３５ａから突出するように矢印α方向に引っ張られる場合がある。このときには、レバー部４４がバンド部３２の厚み方向他方側面（図６の上側面）により押されて、出口３５ａ側に向かって弾性的に倒れるように撓む。この状態で、係止爪３６は係止凹部３３に係止される。このとき、バンド部３２の矢印α方向への移動（出口側への移動）に対して係止爪３６はほとんど抵抗とはならないが、バンド部３２の矢印αとは反対側への移動に対しては係止爪３６が抵抗となる。これによって、バンド部３２が係止部４１の内側から外れることが阻止される。
【００３０】
さらに、バンド部３２の長手方向他端側がバンド挿通孔３５に挿通され、バンド部３２のうち、バンド挿通孔３５の出口３５ａから突出する余剰部分が切断されたときに、レバー部４４によってバンド部の切断された端部Ｒ（図７）が押圧されるように構成される。そして、これによって、図７に示すように、バンド部３２の切断された端部Ｒが曲げ用凹部４６に入り込むようになる。
【００３１】
具体的には、バンド部３２のうち、バンド挿通孔３５の出口３５ａから突出した余剰部分が切断された場合には、バンド部３２を、長手方向他方側（図６、図７の左側）に引っ張る方向の力がなくなる。これにより、レバー部４４の形状が図７のように元に戻る方向に変形する際のレバー部４４のバネ力によって、バンド部３２の切断された端部Ｒが曲げ用凹部４６に向かって押圧される。このため、バンド部３２の切断された端部Ｒは曲げられた状態で曲げ用凹部４６に入り込み、バンド部３２の切断された端部Ｒが、バンド挿通孔３５の内側に入り込んだまま維持される。
【００３２】
上記の拘束バンド４０によって、図１に示すブーツ付ケーブル端末１０のブーツ１８を外側から拘束する場合には、ブーツ１８の位置ずれが防止され、かつ、係止部４１は小型であるので見栄えの向上を図れる。さらに、係止部４１から突出したバンド部３２の余剰部分を切断したときに、切断部３２ｂが係止部３４から突出することを抑制できる。これにより、作業者が、拘束バンド４０で拘束されたブーツ付ケーブル端末１０を外側から手で掴む場合に、切断部を避ける必要をなくせるか少なくできる。このため、ブーツ付ケーブル端末１０における作業者の把持部の自由度が向上するので、ブーツ付ケーブル端末を掴んで行う作業の作業性の向上を図れる。
【００３３】
また、ブーツ付ケーブル端末１０のケーブルがハイブリッド車両の回転電機に接続される高圧ケーブルである場合には、ブーツ付ケーブル端末が大型で重量が大きくなりやすいため、この端末を持って作業する作業者の負担が高くなりやすい。この場合には、実施形態の拘束バンド４０を用いて作業性の向上を図れる効果がより顕著になる。
【００３４】
なお、上記の実施形態では、拘束バンド４０によってブーツ付ケーブル端末１０のブーツ１８を拘束する場合を説明したが、拘束バンドによって拘束する被拘束部材はブーツ付ケーブル端末１０に限定するものではない。拘束バンドは、種々の被拘束部材の外周に巻き付けて拘束するものであればよい。
【符号の説明】
【００３５】
１０  ブーツ付ケーブル端末、１２  電線ケーブル本体、１４  コネクタ、１５  ハウジング部、１５ａ  樹脂部、１６  取付部、１６ａ  孔、１７  端子部、１８  ブーツ、１８ａ  大径筒部、１８ｂ  小径筒部、２２  チューブ、３０  結束バンド、３２  バンド部、３２ａ  環状部分、３２ｂ  切断部、３３  係止凹部、３４  係止部、３５  バンド挿通孔、３５ａ  出口、３５ｂ  入口、３６  係止爪、４０  拘束バンド、４１  係止部、４２  内側壁部、４４  レバー部、４４ａ  折れ曲がり部、４６  曲げ用凹部、５０  作業者。
【図１】
2018040434.tif 000003
【図２】
2018040434.tif 000004
【図３】
2018040434.tif 000005
【図４】
2018040434.tif 000006
【図５】
2018040434.tif 000007
【図６】
2018040434.tif 000008
【図７】
2018040434.tif 000009